(57)【特許請求の範囲】
【請求項１】
部屋に設置された情報処理装置と、該情報処理装置の操作を許可されている操作者の前記部屋への入室及び前記部屋からの退室を管理する入退室管理装置とを備え、前記情報処理装置とその操作を許可されている前記操作者が予め対応付けられ、前記操作者の前記部屋への在室を表す在室情報で前記情報処理装置の利用を許可するセキュリティシステムであって、
前記在室情報は、前記操作者の前記部屋への入室時刻を含み、
前記情報処理装置は、立ち上げ完了後にロックされた状態となった場合、内部のメモリに、ロックされた状態となった時刻をロック開始時刻として記憶し、ロックされた状態の解除を、前記入退室管理装置から得た前記操作者の前記在室情報の前記部屋への入室時刻と前記ロック開始時刻とに基づいて許可することを特徴とするセキュリティシステム。
【請求項２】
請求項１に記載のセキュリティシステムにおいて、
前記情報処理装置は、前記ロックされた状態を解除するためのロック解除の入力があると、前記入退室管理装置から前記操作者の前記在室情報を得て、前記部屋への入室時刻が、前記ロック開始時刻よりも前である場合、前記ロックされた状態の解除を許可することを特徴とするセキュリティシステム。
【請求項３】
請求項１または２に記載のセキュリティシステムにおいて、
前記情報処理装置は、前記操作者が入室して前記情報処理装置の設置場所に到達するまでに要する時間を予め第１の所定時間として設定されており、
前記情報処理装置は、前記ロックされた状態を解除するためのロック解除の入力があると、前記入退室管理装置から前記操作者の前記在室情報を得て、前記部屋への入室時刻が、前記ロック開始時刻よりも後であり、前記部屋への入室時刻から前記ロック解除の前記入力を受けた時点までの時間が、前記第１の所定時間未満である場合は、前記ロック解除の前記入力を受け付けないことを特徴とするセキュリティシステム。
【請求項４】
請求項３に記載のセキュリティシステムにおいて、
前記情報処理装置は、前記部屋への入室時刻が、前記ロック開始時刻よりも後であり、前記部屋への入室時刻から前記ロック解除の前記入力を受けた時点までの時間が、前記第１の所定時間以上である場合は、前記ロックされた状態の解除を許可することを特徴とするセキュリティシステム。
【請求項５】
請求項１乃至４のいずれか１項に記載のセキュリティシステムにおいて、
前記情報処理装置は、前記操作者が操作途中で離席してから前記部屋から退室するまでに要する時間を予め第２の所定時間として設定されており、
前記情報処理装置は、前記ロックされた状態を解除するためのロック解除の入力があっても、前記ロック開始時刻から前記第２の所定時間が経過するまでは、前記ロック解除の前記入力を受け付けないことを特徴とするセキュリティシステム。
【発明の詳細な説明】
【技術分野】
【０００１】
本発明は、情報処理装置の操作者の入室及び退室を管理する入退室管理装置を利用して該情報処理装置の利用を許可するか否かを決定するセキュリティシステムに関するものである。
【背景技術】
【０００２】
特許文献１（特開２００１−２１６５４７号公報）は、段落［００５５］に、部屋に入室した後、ユーザがクライアントを利用する場合、利用するクライアントのロックを解除する必要があることを記載している。
【０００３】
具体的には、前記特許文献１は、段落［００５６］に、ロックの解除を、ユーザによるクライアントの電源ＯＮ（図８のＳ７０）Ｓ７０及びサブシステムの起動（図８のＳ７２）等により行うことを開示している。
【０００４】
特許文献２（特開２００２−４１４６９号公報）は、要約に、コンピュータ４へのログイン時、ログインの条件に、ＩＤカードや指紋照合などを用いた入室側制御装置９による、利用者が正常に当該コンピュータ４の設置されたオフィス１内に入室しているという条件を加えて判断し、正常に入室している場合にだけ当該コンピュータ４へのログインを許可し、正常に入室していない場合には当該コンピュータ４へのログインを拒否することを記載している。
【先行技術文献】
【特許文献】
【０００５】
【特許文献１】特開２００１−２１６５４７号公報
【特許文献２】特開２００２−４１４６９号公報
【発明の概要】
【発明が解決しようとする課題】
【０００６】
上述のように、前記特許文献１はクライアントの電源ＯＮ時のロック解除について記載し、前記特許文献２はコンピュータへのログイン（即ち、コンピュータを操作可能にする）時にログインを許可する条件について記載している。即ち、前記特許文献１及び前記特許文献２にも、情報処理装置の立ち上げ時のロック解除やログイン許可についてしか記載されていない。
【０００７】
本発明の目的は、情報処理装置の操作者が情報処理装置の立ち上げ完了後に情報処理装置の操作途中で情報処理装置から離席するときにも、セキュリティを保つことが可能なセキュリティシステムを提供することにある。
【課題を解決するための手段】
【０００８】
本発明によれば、
部屋に設置された情報処理装置と、該情報処理装置の操作を許可されている操作者の前記部屋への入室及び前記部屋からの退室を管理する入退室管理装置とを備え、前記情報処理装置とその操作を許可されている前記操作者が予め対応付けられ、前記操作者の前記部屋への在室を表す在室情報で前記情報処理装置の利用を許可するセキュリティシステムであって、
前記情報処理装置は、立ち上げ完了後にロックされた状態となった場合、ロックされた状態の解除を、前記入退室管理装置から得た前記操作者の前記在室情報に基づいて許可することを特徴とするセキュリティシステムが得られる。
【発明の効果】
【０００９】
本発明によれば、情報処理装置の操作者が情報処理装置の立ち上げ完了後に情報処理装置の操作途中で情報処理装置から離席するときにも、セキュリティを保つことが可能なセキュリティシステムを得ることができる。
【図面の簡単な説明】
【００１０】
【図１】本発明の第１の実施形態によるセキュリティシステムのブロック図である。
【図２】図１に示されたセキュリティシステムにおける情報処理装置の動作（操作者が情報処理装置の操作途中で情報処理装置から離席した後の動作）を示すフローチャートである。
【図３】図１に示されたセキュリティシステムにおける情報処理装置の別の動作（操作者が情報処理装置の操作途中で情報処理装置から離席した後の動作）を示すフローチャートである。
【発明を実施するための形態】
【００１１】
次に本発明の実施形態について詳細に説明する。
【００１２】
図１を参照すると、本発明の第１の実施形態によるセキュリティシステムが示されている。本セキュリティシステムは、入退室管理装置１０と情報処理装置２０とを有する。入退室管理装置１０及び情報処理装置２０は、通信線で接続されている。
【００１３】
入退室管理装置１０は、制御部１１、第１のカードリーダ１２、第２のカードリーダ１３、及び電気錠１４を有する。制御部１１は、情報処理装置２０に、前記通信線で接続されている。第１のカードリーダ１２、第２のカードリーダ１３、及び電気錠１４は、それぞれ制御部１１に接続されている。
【００１４】
第１のカードリーダ１２及び第２のカードリーダ１３は、磁気カードから情報を読み取るものであってもよいし、接触式ＩＣカードもしくは非接触式ＩＣカードから情報を読み取るものであってもよい。
【００１５】
情報処理装置２０は、パーソナルコンピュータ等である。情報処理装置２０は、１台のみ記載されているが、２台以上であってもよい。
【００１６】
情報処理装置２０が設置されている部屋の入口側に第１のカードリーダ１２が設けられ、前記部屋の出口側に第２のカードリーダ１３が設けられている。電気錠１４は、入口と出口を兼ねる扉に備えられている。
【００１７】
第１のカードリーダ１２は、入室を希望する操作者のカードから操作者の情報（ＩＤ番号）を読み取り、読み取った情報を制御部１１に送出する。制御部１１は、入室を許可された者のＩＤ番号のリスト１５を有している。制御部１１は、第１のカードリーダ１２から操作者の情報を受けると、リスト１５を検索し、該リスト１５に、その操作者の情報が記録されていれば、電気錠１４を開錠し、その入室時刻を、リスト１５中に前記操作者のＩＤ番号と対応付けて記録する。また、退室時は、第２のカードリーダ１３が前記操作者のカードから操作者の情報（ＩＤ番号）を読み取り、読み取った情報を制御部１１に送出する。制御部１１は、第２のカードリーダ１３から前記操作者の情報を受けると、リスト１５に、その操作者の情報が記録されているので、電気錠１４を開錠し、その退室時刻をリスト１５中に前記操作者のＩＤ番号と対応付けて記録する。
【００１８】
操作者が入室し、情報処理装置２０を立ち上げる（例えば、ログインする）際は、情報処理装置２０から入退室管理装置１０の制御部１１へ、該情報処理装置２０の操作を許可されている者が在室しているか問い合わせが行われ、在室している場合は立ち上げ（ログイン）が許可され、そうでない場合は、許可されない。ここで、情報処理装置２０には、操作を許可されている者の情報、即ち、許可された者のＩＤ番号が記憶されている。情報処理装置２０は、情報処理装置２０自身の識別番号とともに、許可された者のＩＤ番号を入退室管理装置１０の制御部１１へ送信して前記問い合わせを行う。制御部１１のリスト１５に、情報処理装置２０の操作を許可されている者の情報を、情報処理装置２０の識別番号と入室を許可された者のＩＤ番号と対応付けて予め記憶し、情報処理装置２０からは情報処理装置２０の識別番号を入退室管理装置１０の制御部１１へ送信して前記問い合わせを行うようにしてもよい。
【００１９】
以上説明したように、本セキュリティシステムは、部屋に設置された情報処理装置２０と、該情報処理装置２０の操作を許可されている操作者の前記部屋への入室及び前記部屋からの退室を管理する入退室管理装置１０とを備え、情報処理装置２０とその操作を許可されている操作者が予め対応付けられ、操作を許可されている操作者の前記部屋への在室を表す在室情報で情報処理装置２０の利用を許可するものである。
【００２０】
更に、本セキュリティシステムは、情報処理装置２０は、立ち上げ完了後にロックされた状態となった場合、ロックされた状態の解除を、入退室管理装置１０から得た、情報処理装置２０の操作を許可されている操作者の前記在室情報に基づいて許可することを特徴とする。ロックとは、情報処理装置２０がロック解除の入力以外を受け付けない状態であることをいう。
【００２１】
以下、本セキュリティシステムの前記特徴について、図２及び図３を参照して詳細に説明する。
【００２２】
図２を参照すると、図１に示されたセキュリティシステムにおける情報処理装置２０の動作を説明するためのフローチャートが示されている。図２は、操作者が情報処理装置２０の操作途中で離席し、情報処理装置２０がロックされた状態となってから、ロックが解除されるまでの動作を示している。
【００２３】
情報処理装置２０は、操作者がロック状態への移行を指示する操作を行うとロック状態に移行する。これによらず、情報処理装置２０に人感センサを設けておき、操作中である状態で所定の時間（例えば１０秒）、人（操作者）を検知しなくなった場合に、自動的にロック状態に移行するようにしてもよい。情報処理装置２０は、内部のメモリ２１に、ロック状態に移行した時刻（ロック開始時刻）を記憶する。
【００２４】
１）図２にステップＳ１として示すように、情報処理装置２０は、ロック状態へ移行するとロック解除の入力待ちとなる。このステップＳ１において、ロック解除の入力があると次のステップＳ２へ移行する。ロック解除の入力は、所定の順番で所定のキーを押下する、所定の組み合わせのキーを同時に押下する等して行う。
【００２５】
２）情報処理装置２０は、ロック解除の入力があると、ステップＳ２において、入退室管理装置１０の制御部１１へ当該情報処理装置２０の操作を許可されている者が在室中（入室記録があってその後の退室記録がない状態）か否かを問い合わせる。制御部１１からの回答が「在室中ではない」を示していれば、ロック解除の入力を受け付けず、ロック解除の入力待ち（ステップＳ１）に戻る。制御部１１からの回答が「在室中」を示していれば、次のステップＳ３へ移行する。「在室中」を示す制御部１１からの回答が、情報処理装置２０の操作を許可されている操作者の前記部屋への在室を表す在室情報である。
【００２６】
３）ステップＳ３では、情報処理装置２０は、入退室管理装置１０の制御部１１へ当該情報処理装置２０の操作を許可されている者の入室時刻を問い合わせ、制御部１１から得た入室時刻がロック開始時刻より前であるか否か判定する。
【００２７】
入室時刻がロック開始時刻より前である場合は、次のステップＳ４へ移行し、ロックを解除する。ロックを解除するのは、操作者が離席後、退室せず、再度着席してロック解除の入力を行ったとみなされるためである。
【００２８】
入室時刻がロック開始時刻より後（同時刻も含む）である場合は、ステップＳ５において、入室時刻からロック解除の入力時刻までの時間が、所定時間（第１の所定時間）以上であるか否かを判定する。
【００２９】
ステップＳ５において、所定時間（第１の所定時間）以上であれば、前記ステップＳ４へ移行し、ロックを解除する。ロックを解除するのは、操作者が離席後、一旦退室して、再度入室し、着席してロック解除の入力を行ったとみなされるためである。
【００３０】
ステップＳ５において、所定時間（第１の所定時間）以上でなければ、ロック解除の入力を受け付けず、ロック解除の入力待ち（ステップＳ１）に戻る。第１の所定時間以上でなければロックを解除しないのは、第１の所定時間経過する前に、即ち、操作者が入室したが情報処理装置２０に到達する前に、ロック解除の入力があった（許可されている操作者ではない誰かがロック解除の入力を行った）とみなされるためである。
【００３１】
上記の所定時間（第１の所定時間）とは、操作者がカードを読み取らせて入室し、情報処理装置２０の設置場所に到達するまでに要する時間である。上記所定時間（第１の所定時間）は、予め情報処理装置２０に設定しておく。設定を変更可能としてもよい。
【００３２】
図３を参照すると、図１に示されたセキュリティシステムにおける情報処理装置２０の別の動作を説明するためのフローチャートが示されている。図３も、操作者が情報処理装置２０の操作途中で離席し、情報処理装置２０がロックされた状態となってから、ロックが解除されるまでの動作を示している。
【００３３】
図３における動作は、図２における動作とは、ステップＳ１’において、ロック開始時刻から第２の所定時間経過しない間は、ロック解除の入力待ちとなる点で相違している。ステップＳ１’は、ステップＳ１とステップＳ２との間に追加されている。その他の点は同一である。
【００３４】
ステップＳ１’において、ロック開始時刻から第２の所定時間経過しない間は、ロック解除の入力待ちとなるのは、操作者が操作途中で離席して退室するまでの間は、ロック解除の入力を受け付けない（ロックが解除されない）ようにするためである。上記の第２の所定時間とは、操作者が操作途中で離席してからその操作者がカードを読み取らせて退室するまでに要する時間である。上記第２の所定時間は、予め情報処理装置２０に設定しておく。設定を変更可能としてもよい。
【００３５】
ここで、上述した第１の実施形態の態様を、図１、図２、及び図３を参照してまとめておく。
【００３６】
［１］  部屋に設置された情報処理装置２０と、該情報処理装置２０の操作を許可されている操作者の前記部屋への入室及び前記部屋からの退室を管理する入退室管理装置１０とを備え、前記情報処理装置２０とその操作を許可されている前記操作者が予め対応付けられ、前記操作者の前記部屋への在室を表す在室情報で前記情報処理装置２０の利用を許可するセキュリティシステムであって、
前記情報処理装置は、立ち上げ完了後にロックされた状態となった場合、ロックされた状態の解除を、前記入退室管理装置から得た前記操作者の前記在室情報（ステップＳ２）に基づいて許可することを特徴とするセキュリティシステム。
【００３７】
［２］  上記［１］に記載のセキュリティシステムにおいて、
前記情報処理装置２０は、前記操作者が入室して前記情報処理装置２０の設置場所に到達するまでに要する時間を予め第１の所定時間として設定されており、
前記情報処理装置２０は、前記ロックされた状態を解除するためのロック解除の入力があると、前記入退室管理装置１０から前記操作者の前記在室情報が得られても、前記ロック解除の前記入力を受けた時点から前記第１の所定時間が経過するまでは、前記ロック解除の前記入力を受け付けない（ステップＳ５）ことを特徴とするセキュリティシステム。
【００３８】
［３］  上記［２］に記載のセキュリティシステムにおいて、
前記情報処理装置２０は、立ち上げ完了後にロックされた状態となった場合、内部のメモリに、ロックされた状態となった時刻をロック開始時刻として記憶することを特徴とするセキュリティシステム。
【００３９】
［４］  上記［３］に記載のセキュリティシステムにおいて、
前記情報処理装置２０は、前記操作者が操作途中で離席してから前記部屋から退室するまでに要する時間を予め第２の所定時間として設定されており、
前記情報処理装置２０は、前記ロックされた状態を解除するためのロック解除の入力があっても、前記ロック開始時刻から前記第２の所定時間が経過するまでは、前記ロック解除の前記入力を受け付けない（ステップＳ１’）ことを特徴とするセキュリティシステム。
【００４０】
以上に説明したように、本発明の第１の実施形態によれば、部屋に設置された情報処理装置２０と、該情報処理装置２０の操作を許可されている操作者の前記部屋への入室及び前記部屋からの退室を管理する入退室管理装置１０とを備え、前記情報処理装置２０とその操作を許可されている前記操作者が予め対応付けられ、前記操作者の前記部屋への在室を表す在室情報で前記情報処理装置２０の利用を許可するセキュリティシステムにおいて、前記操作者が情報処理装置２０の立ち上げ完了後に情報処理装置２０の操作途中で情報処理装置２０から離席するときにも、セキュリティを保つことが可能である。
【００４１】
なお、上記の第１の実施形態では、入口と出口が同一の場合について述べたが、入口と出口を別にし、入口と出口それぞれに電気錠とカードリーダを設けて入退室を管理する入退室管理装置の場合も、本発明は適用可能である。
【００４２】
以上、実施形態を参照して本願発明を詳細に説明したが、本願発明は上記実施形態に限定されるものではない。本願発明の構成や詳細には、本願発明のスコープ内で当業者が理解できる様々な変更をすることができる。
【符号の説明】
【００４３】
１０  入退室管理装置
１１  制御部
１２  第１のカードリーダ
１３  第２のカードリーダ
１４  電気錠
１５  リスト
２０  情報処理装置
２１  メモリ
【図１】
0005388237.tif 000002
【図２】
0005388237.tif 000003
【図３】
0005388237.tif 000004